(57)【要約】【課題】自動車修理の見積りにあっては、見積りする者の経験や技能によって見積り金額に差が生じるので、修理を以来しようとする顧客の側からは、自動車修理工場に自動車を持ち込み、見積りを見るまで、修理にいくらかかるかが不明で不便であり、また修理工場における見積もりにバラツキがあっても、車を持ち込むまで価格がわからないので、簡単に他の修理工場との価格の比較できないという問題があった。【解決手段】本発明は、上記の問題点を解決するためになされたもので、自動計算機を用い、持ち込まれた自動車の型式と前記価格表とを用いて作業価格を表示し、この表示された作業価格に基づいて、顧客との間で作業販売契約を締結する自動車の点検修理作業等の販売方法。【選択図】図１
2005071315.tif 000002
【特許請求の範囲】
【請求項１】
自動計算機を用い、
自動車の種類ごとに分類した自動車の作業項目が書き込まれた項目欄及びこの項目に対応する作業費用が書き込まれた料金欄を有する価格表を記憶手段に記憶させるステップと、
対象となる自動車の型式を入力するステップと、
自動車の型式を自動車の種類ごとに分類したデータベースを用いて、対象となる自動車の型式をキーに、その型式がどの自動車の種類ごとの分類に属するかを判定するステップと、
対象となる自動車の型式と前記価格表とを用いて作業価格を表示手段に表示させるステップとを行い、
この表示された作業価格に基づいて、顧客との間で作業販売契約を締結する手順を備えた、自動車の点検修理作業等の販売方法。
【請求項２】
作業項目がブレーキパッドとバッテリーの交換を少なくとも含む請求項１記載の自動車の点検修理作業等の販売方法。
【請求項３】
作業項目が自動車の検査を少なくとも含む請求項１記載の自動車の点検修理作業等の販売方法。
【請求項４】
自動車の種類ごとの分類のための項目においては、軽自動車と普通車、ガソリン車とディーゼル車とを分類した請求項１記載の自動車の点検修理作業等の販売方法。
【請求項５】
作業価格を表示手段に表示させるステップは、前記作業価格を印刷するステップである請求項１記載の自動車の点検修理作業等の販売方法。
【請求項６】
自動車の種類ごとに分類した自動車の作業項目が書き込まれた項目欄及びこの項目に対応する作業費用が書き込まれた料金欄を有する価格表を準備し、
自動車の型式を自動車の種類ごとに分類したデータベースを用いて、対象となる自動車の型式をキーに、その型式がどの自動車の種類ごとの分類に属するかを判定し、
前記対象となる自動車の型式と前記価格表とを用いて作業価格を表示し、
この表示された作業価格に基づいて、顧客との間で作業販売契約を締結する手順を備えた、自動車の点検修理作業等の販売方法。
【発明の詳細な説明】
【技術分野】
【０００１】本発明は、自動車修理の販売方法に係り、特に、自動車修理工場などで、車のバッテリーやブレーキパッド等の部品を修理、交換する際に見積り作業を必要としない自動車修理の販売方法に関する。
【背景技術】
【０００２】従来、自動車修理の見積りは、例えば、修理の対象となる車を見て、見積書や見積書の基礎になる点検シートなどにおいて、損傷部品を列記し、この列記した部品に対して、修理作業に応じて自動車の修理に係る費用を算出し、見積りするようにしている。
【特許文献】特公平７−１０１４２３号公報
【発明の開示】
【発明が解決しようとする課題】
【０００３】上述した従来の自動車修理の見積りにあっては、見積りする者の経験や技能によって見積り金額に差が生じるので、修理を以来しようとする顧客の側からは、自動車修理工場に自動車を持ち込み、見積りを見るまで、修理にいくらかかるかが不明で不便であり、また修理工場における見積もりにバラツキがあっても、車を持ち込むまで価格がわからないので、簡単に他の修理工場との価格の比較できないという問題があった。【０００４】見積り金額のバラツキを防止するため、コンピュータを使用して見積もり作業を標準化する試みもされているが、自動車修理工場に自動車を持ち込み、見積りを見るまで、修理にいくらかかるかが不明である点は変わりなく、自動車を持ち込むまで修理費用が想定できない問題が依然として生じる。【０００５】本発明は、上記の問題点を解決するためになされたもので、見積りそのものを廃することが出来、見積り金額のバラツキを防止するとともに、顧客にとって、車を持ち込むことなく修理価格が明らかとなり、簡単に他の修理工場との価格の比較できる自動車修理の販売方法を提供する。
【課題を解決するための手段】
【０００６】本発明はこのために、
自動車の種類ごとに分類した自動車の作業項目が書き込まれた項目欄及びこの項目に対応する作業費用が書き込まれた料金欄を有する価格表を準備し、
自動車の型式を自動車の種類ごとに分類したデータベースを用いて、対象となる自動車の型式をキーに、その型式がどの自動車の種類ごとの分類に属するかを判定し、
前記持ち込まれた自動車の型式と前記価格表とを用いて作業価格を表示し、
この表示された作業価格に基づいて、顧客との間で作業販売契約を締結する手順を備えたものである。
【発明の効果】
【０００７】本発明は、自動車の種類ごとに分類した自動車の作業項目が書き込まれた項目欄及びこの項目に対応する作業費用が書き込まれた料金欄を有する価格表を準備し、この作業価格に基づいて、顧客との間で作業販売契約を締結するもので、見積りを廃することが出来、代わりに価格を定価として表示して販売するので、自動車の種類ごとに個別に見積りをする必要がなく、顧客にとって、修理価格が明らかであり、簡単に他の修理工場との価格の比較ができる。
【発明を実施するための最良の形態】
【０００８】自動車の種類ごとに分類した自動車の作業項目が書き込まれた項目欄及びこの項目に対応する作業費用が書き込まれた料金欄を有する価格表を準備し、
自動車の型式を自動車の種類ごとに分類したデータベースを用いて、対象となる自動車の型式をキーに、その型式がどの自動車の種類ごとの分類に属するかを判定し、
前記持ち込まれた自動車の型式と前記価格表とを用いて作業価格を表示し、
この表示された作業価格に基づいて、顧客との間で作業販売契約を締結する手順を備えた、自動車の点検修理作業等の販売方法。
また、好ましくは、作業項目がブレーキパッドとバッテリーの交換を少なくとも含む自動車の点検修理作業等の販売方法。
また、さらに好ましくは、作業項目が自動車の検査を少なくとも含む自動車の点検修理作業等の販売方法。
また、さらに好ましくは、自動車の種類ごとの分類のための項目においては、軽自動車と普通車、ガソリン車とディーゼル車とを分類した自動車の点検修理作業等の販売方法。
また、さらに好ましくは、作業価格を表示手段に表示させるステップは、前記作業価格を印刷するステップである自動車の点検修理作業等の販売方法。
また、さらに好ましくは、自動計算機を用い、
自動車の種類ごとに分類した自動車の作業項目が書き込まれた項目欄及びこの項目に対応する作業費用が書き込まれた料金欄を有する価格表を記憶手段に記憶させるステップと、
対象となる自動車の型式を入力するステップと、
自動車の型式を自動車の種類ごとに分類したデータベースを用いて、対象となる自動車の型式をキーに、その型式がどの自動車の種類ごとの分類に属するかを判定するステップと、
対象となる自動車の型式と前記価格表とを用いて作業価格を表示手段に表示させるステップとを行い、
この表示された作業価格に基づいて、顧客との間で作業販売契約を締結する手順を備えた、自動車の点検修理作業等の販売方法。
【実施例】
【０００９】図１は、本発明の一実施例における自動車の点検修理作業等の販売方法の手順を示すものであり、また図２はこれに用いる価格表（１）を示す。
まず、価格表について説明する。
１は、自動車の点検修理作業等の販売に使用する価格表であり、この価格表（１）には自動車の種類（２）ごとに分類した自動車の作業項目（３）が書き込まれた項目欄（４）及びこの作業項目（３）に対応する作業費用（５）が書き込まれた料金欄（６）が掲げられている。ここでいう自動車の種類（２）とは、国産車とか外国産車、また軽自動車、普通車、４輪車、２輪車など、またガソリン車かディーゼル車かなどの種別を意味し、また排気量によって種類を分けることも考えられる。また、作業項目（３）としては、ブレーキパッドの交換やバッテリーの交換を価格表（１）では掲げているが、ワイパーなどの交換等も含まれる。また、さらに、調整項目として、各種の照明（ライト）、ブレーキ類、ハンドル操作などを適宜加えることが出来る。
また、さらに、検査項目として価格表（１）では国が行う自動車の検査等に伴う点検に関する項目が含まれる。【００１０】次に、この価格表（１）を用いた、具体的な作業手順（ステップ）を説明する。
具体的な作業には、一般に入手可能なパーソナルコンピュータ等の自動計算機（図示せず）を用いる。
まず、上記したような、価格表（１）をパーソナルコンピュータ等の自動計算機の記憶手段に記憶させる（ステップ（１０））、次に対象となる自動車の型式をその自動車の車検証等より確認して入力する（ステップ（２０））。
また、ここではあらかじめ、自動車の型式と自動車の種類（国産車とか外国産車、また軽自動車、普通車、４輪車、２輪車）を分類し対比可能なデータベースを用意しておき、これを前記の自動計算機に記憶させておくか、あるいは通信手段を用いて使用可能な状態に置く。そして、対象となる自動車の型式をキーに、その型式がどの自動車の種類に属するかを公知の自動計算機の検索機能などを用いて判定・判別する（ステップ（３０））。【００１１】対象となる自動車の型式より、自動車の種類（２）が判別されると、前記価格表（１）を用いて作業価格が、決まるので、これを表示手段に表示させる（ステップ４０）。
この表示は、計算機やネットワークに接続した表示手段やこれらに接続された印刷手段による。表示された作業の価格に基づいて、顧客との間で作業販売契約を締結する（ステップ５０）。【００１２】本実施例では、自動計算機を用いているが、この場合各作業ステップにおいて、同じ自動計算機を用いても、また通信手段や通信ネットワークを利用して、複数の自動計算機を用いてもこれら作業を行うことも、本発明では、可能である。
【産業上の利用可能性】
【００１３】本発明では、コンピュータあるいは通信ネットワークなどを用いて、自動車の種類ごとに分類した自動車の作業項目が書き込まれた項目欄及びこの項目に対応する作業費用が書き込まれた料金欄を有する価格表を使用し、また、自動車の型式を自動車の種類ごとに分類したデータベースを用いて、作業価格を表示し、表示された作業価格に基づいて、顧客との間で作業販売契約を締結する手順を備えているので、通信ネットワークなどを用いて、あらかじめ顧客が作業価格を知ることができる。また通信ネットワークで自動車の点検修理作業等の販売方法を自由に利用できるように構成することも可能となる。
【図面の簡単な説明】
【００１４】
【図１】本発明の一実施例に係る自動車の点検修理作業等の販売方法の手順を示す構成図である。
【図２】本発明の一実施例に係る自動車の点検修理作業等の販売方法に使用する価格表を示す図である。
【符号の説明】
【００１５】１  価格表
２  自動車の種類
３  自動車の作業項目
５  作業費用
６  料金欄
【図１】
2005071315.tif 000003
【図２】
2005071315.tif 000004